(57)【特許請求の範囲】
【請求項１】
軒先等に固定される取付杆と、
雨樋の前後耳部を掛止する樋耳掛止部を前、後端に備え、前記取付杆にその長手方向に沿ってスライド可能に取付けられる樋支持具本体と、
上記樋支持具本体のスライドをロック・アンロックさせるロック機構とを備えたロック式の雨樋支持具において、
上記ロック機構は、ロックレバーと、弾性変形可能な座金と、これらを上記取付杆及び樋支持具本体を介して連結させるための連結軸とより構成され、
上記座金は、基板部と、該基板部の両側から傾斜し、さらに、上方又は下方に屈曲連成されたバネ片部とを備えて成り、
上記ロックレバーをロック側に操作すれば、上記座金が樋支持具本体に押当することにより弾性変形され、これに伴い座金の基板部が樋支持具本体に圧接すると共に、座金の両バネ片部が、樋支持具本体の両側面を挟圧接し、上記樋支持具本体を取付杆に緊合させてそのスライドを規制する構造にしたことを特徴とするロック式の雨樋支持具。
【請求項２】
請求項１において、
上記座金が、複数設けられたことを特徴とするロック式の雨樋支持具。
【請求項３】
請求項１又は２の何れかにおいて、
上記樋支持具本体には、その長手方向に沿って上記連結軸を貫通する長孔を形成したことを特徴とするロック式の雨樋支持具。
【請求項４】
請求項３において、
上記座金の基板部には、上記長孔に向けて突設した突片部を更に設け、ロック時には、この突片部が、上記長孔に嵌合されることを特徴とするロック式の雨樋支持具。
【請求項５】
請求項４において、
上記樋支持具本体の長孔の内側面には、長手方向に連続する係合凹凸部を形成し、且つ、上記凹凸係合部に係合される係合部を、上記座金の突片部に形成したことを特徴とするロック式の雨樋支持具。
【請求項６】
請求項１〜５の何れかにおいて、
上記樋支持具本体の両側面には、長手方向に連続する凹凸部を形成し、且つ、上記バネ片部には、上記凹凸部に係止する突部又は凹所を更に設け、ロック時には、前記突部又は凹所が、樋支持具本体の凹凸部に係止されることを特徴とするロック式の雨樋支持具。
【請求項７】
請求項１〜６の何れかにおいて、
上記ロックレバーは、水平回転式、縱回転式、スライド式の何れかの操作方式で操作可能であることを特徴とするロック式の雨樋支持具。
【請求項８】
請求項７において、
上記ロックレバーには、位置決め用の凹所を形成し、且つ、上記バネ片部の屈曲部下面には、上記凹所に嵌り込む小突起を更に設け、ロック時には、この小突起が、ロックレバーの凹所に嵌り込んで、ロック位置が特定されることを特徴とするロック式の雨樋支持具。
【請求項９】
取付杆と、該取付杆とスライド可能に連結される樋支持具本体と、水平方向に回転可能なロックレバーと、このロックレバーの回転操作に応じて上下移動される座金とを備え、これらを上下に貫通する連結軸で連結し、上記ロックレバーの回転操作によって、上記取付杆と樋支持具本体とを圧接固定又は圧接解除してスライド可能にしたロック式の雨樋支持具において、
上記座金は、これ自体が弾性変形可能なバネ板で形成され、圧接固定時の応力を吸収するようにしてなり、且つ、上記座金を構成するバネ板の両側端部に延設された側縁部が弾性変形可能にしてなることを特徴とするロック式の雨樋支持具。
【請求項１０】
請求項９において、
上記座金を構成するバネ板の両側端部に延設された側縁部が弾性変形可能にしてなることを特徴とするロック式の雨樋支持具。
【請求項１１】
請求項９又は１０の何れかにおいて、
上記座金を構成するバネ板の基板部の中央部が弾性変形可能にしてなることを特徴とするロック式の雨樋支持具。
【発明の詳細な説明】
【技術分野】
【０００１】
本発明は、軒先等に固定される取付杆と、これにスライド可能に取付けられた樋支持具本体とのスライドをロック・アンロックさせるロック機構を備えたロック式の雨樋支持具に関する。
【背景技術】
【０００２】
従来のロック式の雨樋支持具は、軒先等に固定される取付杆と、雨樋の前後耳部を掛止する樋耳掛止部を前、後端に備え、前記取付杆にその長手方向に沿ってスライド可能に取付けられる樋支持具本体と、この樋支持具本体のスライドをロック・アンロックさせるロック機構とを少なくとも備えている。
【０００３】
ここでのロック機構は、水平回転可能なロックレバーと、膨出部を備えた板状の座金と、これらを上記取付杆及び樋支持具本体を介して連結させるための連結軸と、この連結軸の先端に嵌挿されるバネワッシャ等の弾性部材とを備えている。
【０００４】
そして、ロックレバーをロック側に操作すれば、そのロックレバーの基板が、上記座金の下方に張り出した膨出部に押当して、この座金を押上げ、上位にある樋支持具本体が押し上げられることで、樋支持具本体と取付杆とを圧接させてそのスライドを規制する構造にしている（例えば、特許文献１参照。）。
【０００５】
すなわち、ロックレバーをロック方向に回転操作すれば、このロックレバーが上記座金に形成された膨出部に乗り上げて、前記座金を押上げると共に、樋支持具本体をも押上げて、この樋支持具本体を取付杆に圧接する。
【０００６】
この圧接のとき、上記バネワッシャ等の弾性部材が押し縮められて、下方に向けて弾性付勢された状態となるので、取付杆と樋支持具本体との圧接を維持して固定（圧接固定）してロック状態にできる。
【０００７】
なお、ロック状態からアンロック方向に回転操作すれば、上記と逆動作によってアンロック状態にできる。
【特許文献１】登録実用新案登録第３０５００９８号公報（第１図）
【発明の開示】
【発明が解決しようとする課題】
【０００８】
このロック式の雨樋支持具は、そのロックレバーを廻すだけで、樋支持具本体と取付杆を圧接させて、そのスライドを容易に規制できるものとして優れている。
【０００９】
しかしながら、従来のロック機構には、ロックレバー、座金、連結軸、弾性部材を備えており、その部品点数を削減することが要望されている。
【００１０】
また、ロック時には、樋支持具本体と取付杆とが、弾性部材の弾性力によって圧接されてロックしているが、そのロック力を強くして、確実なロックを行うことも要望されている。
【００１１】
本発明は、かかる課題を解決することを目的とするもので、ロック機構の部品点数を削減できるうえ、ロック時におけるロック力を強くして、確実なロックができるロック式の雨樋支持具を提供している。
【課題を解決するための手段】
【００１２】
上記目的を達成するため、
請求項１に係るロック式の雨樋支持具では、ロック機構は、ロックレバーと、基板部、バネ片部を備えた弾性変形可能な座金と、連結軸とより構成している。
【００１３】
そのため、ロック機構には、バネワッシャ等の弾性部材を不要にでき、部品点数の削減ができる。
【００１４】
また、座金は、ロック時に弾性変形して、樋支持具本体の下方（又は上方）及び両側方の３面から挟圧接するので、樋支持具本体に対するロック力を強くでき、樋支持具本体を確実にロックできる。
【００１５】
請求項２に係るロック式の雨樋支持具では、座金が複数設けられているので、樋支持具本体に対するロック力をより強くでき、樋支持具本体を、より確実にロックできる。
【００１６】
請求項３に係るロック式の雨樋支持具では、樋支持具本体に連結軸を貫通する長孔を形成し、この長孔に沿って、そのスライドを行うことができる。
【００１７】
請求項４に係るロック式の雨樋支持具では、座金の基板部に突片部を更に設け、ロック時には、この突片部が、長孔に嵌合されるので、座金が樋支持具本体に対して、より強く挟圧接することができる。
【００１８】
請求項５に係るロック式の雨樋支持具では、ロック時には、座金の係合部が、長孔の係合凹凸部に係合されるので、樋支持具本体のスライドをより確実に規制してロックできる。
【００１９】
請求項６に係るロック式の雨樋支持具では、ロック時には、座金の突部又は凹所が、樋支持具本体の凹凸部に係止され、樋支持具本体のスライドをより確実に規制してロックできる。
【００２０】
請求項７に係るロック式の雨樋支持具では、ロックレバーは、水平回転式、縱回転式、スライド式の何れかの操作方式で操作可能であり、様々な操作方式のロックレバーにも対応できる。
【００２１】
請求項８に係るロック式の雨樋支持具では、ロック時には、座金の小突起が、ロックレバーの凹所に嵌り込んで、ロックしたことをクリック感やクリック音で確認できる。
【００２２】
請求項９に係るロック式の雨樋支持具は、取付杆と、該取付杆とスライド可能に連結される樋支持具本体と、水平方向に回転可能なロックレバーと、このロックレバーの回転操作に応じて上下移動される座金とを備え、これらを上下に貫通する連結軸で連結し、上記ロックレバーの回転操作によって、上記取付杆と樋支持具本体とを圧接固定又は圧接解除してスライド可能にしたロック式の雨樋支持具において、上記座金は、これ自体が弾性変形可能なバネ板で形成され、圧接固定時の応力を吸収するようにしてなり、且つ、上記座金を構成するバネ板の両側端部に延設された側縁部が弾性変形可能にしてなることを特徴とする。
【００２３】
このものでは、座金自体が弾性変形可能なバネ板で形成されているので、ロックレバーのロック、アンロック操作時における応力を座金自体で吸収することができ、従来のようなバネワッシャ等の弾性部材を不要にできる。
【００２４】
そのため、部品点数を減少でき、製造工程も簡易となり、製造コストも安価にできる。また、このものでは、座金の具体的な構造として、バネ板の両側端部に立設された側壁部が弾性変形可能にしてなるものである。
【００２７】
請求項１０に係るロック式の雨樋支持具は、請求項９において、上記座金を構成するバネ板の両側端部に延設された側縁部が弾性変形可能にしてなることを特徴とする。
【００２８】
このものでは、座金の具体的な構造として、バネ板の両側端部に延設された側縁部が弾性変形可能にしてなるものである。
【００２９】
請求項１１に係るロック式の雨樋支持具は、請求項９又は１０の何れかにおいて、上記座金を構成するバネ板の基板部の中央部が弾性変形可能にしてなることを特徴とする。
【００３０】
このものでは、座金の具体的な構造として、バネ板の中央部が弾性変形可能にしてなるものである。
【発明の効果】
【００３１】
本発明によれば、次のような効果がある。
【００３２】
請求項１に係るロック式の雨樋支持具によれば、ロック機構は、ロックレバーと、基板部、バネ片部を備えた弾性変形可能な座金と、連結軸とより構成している。
【００３３】
そのため、ロック機構には、バネワッシャ等の弾性部材を不要にでき、部品点数の削減ができる。
【００３４】
また、座金は、ロック時に弾性変形して、樋支持具本体の下方（又は上方）及び両側方の３面から挟圧接するので、樋支持具本体に対するロック力を強くでき、樋支持具本体を確実にロックできる。
【００３５】
請求項２に係るロック式の雨樋支持具によれば、座金が複数設けられているので、樋支持具本体に対するロック力をより強くでき、樋支持具本体を、より確実にロックできる。
【００３６】
請求項３に係るロック式の雨樋支持具によれば、樋支持具本体に連結軸を貫通する長孔を形成し、この長孔に沿ってスライドを行うことができる。
【００３７】
請求項４に係るロック式の雨樋支持具によれば、座金の基板部に突片部を更に設け、ロック時には、この突片部が、長孔に嵌合されるので、座金が樋支持具本体に対して、より強く挟圧接することができる。
【００３８】
請求項５に係るロック式の雨樋支持具によれば、ロック時には、座金の係合部が、長孔の内側面に形成された係合凹凸部に係合されるので、樋支持具本体のスライドをより確実に規制してロックできる。
【００３９】
請求項６に係るロック式の雨樋支持具によれば、ロック時には、座金の突部又は凹所が、樋支持具本体の凹凸部に係止され、樋支持具本体のスライドをより確実に規制してロックできる。
【００４０】
請求項７に係るロック式の雨樋支持具によれば、ロックレバーは、水平回転式、縱回転式、スライド式の何れかの操作方式で操作可能であり、様々な操作方式のロックレバーにも対応できる。
【００４１】
請求項８に係るロック式の雨樋支持具によれば、ロック時には、座金の小突起が、ロックレバーの凹所に嵌り込んで、ロックしたことをクリック感やクリック音で確認できる。
【００４２】
請求項９〜１１に係るロック式の雨樋支持具によれば、座金自体が弾性変形可能なバネ板で形成されているので、ロックレバーのロック、アンロック操作時における応力を座金自体で吸収することができ、従来のようなバネワッシャ等の弾性部材を不要にできる。
【００４３】
そのため、部品点数を減少でき、製造工程も簡易となり、製造コストも安価にできる。
【発明を実施するための最良の形態】
【００４４】
【実施例１】
【００４５】
図１は、本発明に係るロック式の雨樋支持具の一実施例を示す分解斜視図、図２（ａ）、（ｂ）は、図１の動作を説明するための要部の概略断面図である。
【００４６】
このロック式の雨樋支持具Ａは、取付杆１と、樋支持具本体２と、ロック機構Ｒとより成り、上記ロック機構Ｒは、ロックレバー３と、弾性変形可能な座金４と、これらを取付杆１及び樋支持具本体２を介して連結させるための連結軸５とで構成している。
【００４７】
以下、各部材について詳説する。
【００４８】
取付杆１は、軒先等に固定される取付足板１１の上端中央から前方に向けて足杆１２を延設し、この足杆１２の前方には、段落ち形成した連結片部１３を形成し、この連結片部１３には、軸孔１４を開設している。
【００４９】
樋支持具本体２は、その前、後端に雨樋Ｔの前後耳部ＴＭを掛止する樋耳掛止部２１を各々形成している。
【００５０】
この樋支持具本体２には、長手方向に沿って連結軸５を貫通するための上下に貫通した長孔２２を形成しているが、樋支持具本体２を取付杆１にスライド可能に連結できる構造であれば、上記長孔２２は無くても構わない。
【００５１】
ロッレバー３は、基板３１の両側を下方に向けて折曲して操作片部３２を形成し、この基板３１には、連結軸５を貫通する軸孔部３３を形成している。
【００５２】
ここでのロックレバー３は、これを水平回転することによって、ロック、アンロック操作が可能な水平回転式のものを例示したが、これ以外にも、後述する縱回転式、スライド式の何れかの操作方式で操作可能なものを採用することもできる。
【００５３】
座金４は、基板部４１と、この両側から下方に向けて一旦傾斜され、さらに、上方に屈曲連成されたバネ片部４２とより成る。
【００５４】
この基板部４１には、連結軸５を貫通する軸孔部４３を形成している。
【００５５】
また、本実施例の座金４は、樋支持具本体２とロックレバー３との間に介在したものを例示しているが、上記座金４は、これを上下反転して取付杆１と樋支持具本体２との間に介在することも可能であり、その場合には、ロックレバー３の基板３１上面に膨出部（不図示）を形成し、このロックレバー３で直接、樋支持具本体２を押上げる構造にすれば良い。
【００５６】
また、ロックレバー３の基板３１には、位置決め用の凹所３４を形成し、且つ、バネ片部４２の屈曲部下面には、凹所３４に嵌り込む小突起４４を設けておけば、ロック時には、この小突起４４が、ロックレバー３の凹所３４に嵌り込んで、ロックしたことをクリック感やクリック音で確認することもできる。
【００５７】
連結軸５は、取付杆１の軸孔１４、樋支持具本体２の長孔２２、座金４の軸孔部４３、ロックレバー３の軸孔部３３を貫通する軸部５１を備えており、ここでは、リベットを例示しているが、一組のボルト、ナットを用いることも可能である。
【００５８】
このように構成したロック式の雨樋支持具Ａは、図１、図２（ａ）で示すように、連結軸５を、取付杆１の軸孔１４、樋支持具本体２の長孔２２、座金４の軸孔部４３、ロックレバー３の軸孔部３３に順次貫通し、その連結軸５の下端をカシメ止めすることで、樋支持具本体２を前後にスライド可能に連結し、従来のバネワッシャ等の弾性部材を不要にしている。
【００５９】
そして、図２（ｂ）で示すように、ロックレバー３をロック側に水平回転操作すれば、ロックレバー３が、バネ片部４２の傾斜部分に当接し、さらにロックレバー３を水平回転すれば、座金４が弾性変形して、その基板部４１が樋支持具本体２を押当し、樋支持具本体２が取付杆１を圧接する。
【００６０】
同時に、座金４の両バネ片部４２は、樋支持具本体２の両側面２３を内側（ここでは、長孔２２側）に向けて挟圧接し、この座金４の弾性変形による協働作用によって、樋支持具本体２を取付杆１に緊合させてそのスライドを確実に規制し、ロックできる。
【００６１】
このように、本実施例に係るロック式の雨樋支持具Ａによれば、従来のようなバネワッシャ等の弾性部材を不要にでき、部品点数の削減ができる。
【００６２】
また、座金４は、ロック時に弾性変形して、樋支持具本体２の下方及び両側方の３面から、これを挟圧接するので、従来のように下方からのみ弾性付勢していたものよりも樋支持具本体２を確実にロックできる。
【００６３】
図３は、本発明に係るロック式の雨樋支持具の他の実施例を示す分解斜視図である。
【００６４】
ここで、図１と共通する部位には共通の番号を付し、その説明は省略する。
【００６５】
このロック式の雨樋支持具Ａは、図１で示したロック式の雨樋支持具Ａに、更に別の座金４’を加えて複数設けたものである。
【００６６】
具体的には、上記座金４と同構造のものを反転させて他の座金４’とし、この他の座金４’を取付杆１と樋支持具本体２との間に設けたものである。
【００６７】
このロック式の雨樋支持具Ａによれば、座金４が複数設けられているので、樋支持具本体２と取付杆１との圧接力を、更に強くして、樋支持具本体２をより確実にロックできる。
【００６８】
只、この場合には、他の座金４’を要するため、例えば、図４で示すように、図３で示した２つの座金４、４’を一体化させた１つの座金４”に形成すれば、その圧接力をより強くできるうえ、部品点数の削減も可能である。
図５は、本発明に係るロック式の雨樋支持具の更に他の実施例を示す分解斜視図、図６（ａ）、（ｂ）は、図５の要部の概略断面図である。
【００６９】
ここで、図１、図２と共通する部位には共通の番号を付し、その説明は省略する。
【００７０】
このロック式の雨樋支持具Ａでは、図１、図２で示した座金４の基板部４１に、長孔２２に向けて突設した突片部４５を更に設け、ロック時には、この突片部４５が、樋支持具本体２の長孔２２に嵌合される点に特徴がある。
【００７１】
なお、本図では、この突片部４５を先細状に形成して、樋支持具本体２の長孔２２に嵌合し易く形成している。
【００７２】
このようなロック式の雨樋支持具Ａによれば、ロック時には、この突片部４５が、長孔２２に嵌合されるので、座金４が樋支持具本体２に対して、より強く挟圧接することができる。
【００７３】
図７は、図５の変形例を示した分解斜視図である。
【００７４】
ここで、図５と共通する部位には共通の番号を付し、その説明は省略する。
【００７５】
このロック式の雨樋支持具Ａでは、樋支持具本体２の長孔２２の内側面には、長手方向に連続する係合凹凸部２４を形成し、且つ、この凹凸係合部２４に応じて係合される係合部４６を、座金４の突片部４５の外面に形成している点に特徴がある。
【００７６】
このようなロック式の雨樋支持具Ａによれば、ロック時には、この突片部４５の係合部４６が、長孔２２の内側面に形成された係合凹凸部２４に係合されるので、樋支持具本体２のスライドをより確実に規制できる。
【００７７】
図８は、本発明に係るロック式の雨樋支持具の更に他の実施例を示す分解斜視図である。
【００７８】
ここで、図１、図２と共通する部位には共通の番号を付し、その説明は省略する。
【００７９】
このロック式の雨樋支持具Ａは、樋支持具本体２の両側面２３に長手方向に連続する凹凸部２５を形成し、且つ、バネ片部４２の上端には、凹凸部２５に係止する突部４７（又は凹所４７）を更に設け、ロック時には、突部４７（又は凹所４７）が、樋支持具本体２の凹凸部２５に係止される点に特徴がある。
【００８０】
このようなロック式の雨樋支持具Ａによれば、ロック時には、突部４７（又は凹所４７）が、樋支持具本体２の凹凸部２５に係止され、樋支持具本体２のスライドをより確実に規制できる。
【００８１】
図９〜図１１は、他の操作方式のロックレバーを例示したものであり、図９は、縱回転式のロックレバー３を取付杆１の上方に設けたロック式の雨樋支持具Ａを示す分解斜視図、図１０は、縱回転式のロックレバー３を樋支持具本体２の下方に設けたロック式の雨樋支持具Ａを示す分解斜視図、図１１は、スライド式のロックレバー３を樋支持具本体２の下方に設けたロック式の雨樋支持具Ａを示す分解斜視図を各々例示したものであるが、これらのロックレバーの操作方式によるロック式の雨樋支持具Ａであっても上記同様の効果を得ることができる。
【実施例２】
【００８２】
図１２は、本発明に係るロック式の雨樋支持具Ａの他の実施例を示す分解斜視図であり、図１３（ａ）、（ｂ）は、図１２で示したロック式の雨樋支持具Ａのロック、アンロック状態を示す要部概略動作図である。
【００８３】
この図１２〜図１６で示すロック式の雨樋支持具Ａは、何れも図１〜図１１で示された座金４の構造とは相違するものであり、具体的には、基板部４１下面の長手方向の前後には、下方に向けて膨出させた２つの膨出部４４ａが形成されており、アンロック時には、これらの膨出部４４ａの間に、ロックレバー３の基板３１が落し込まれる構造にしている点で相違するものである。
【００８４】
以下、このロック式の雨樋支持具Ａについて説明するが、図１〜図１１と対応する部位には、共通の番号を付し、その説明が重複する場合もある。
【００８５】
なお、図１３（ａ）は、ロック状態を示し、図１３（ｂ）は、アンロック状態を示している。
【００８６】
このロック式の雨樋支持具Ａは、取付杆１と、該取付杆１とスライド可能に連結される樋支持具本体２と、水平方向に回転可能なロックレバー３と、このロックレバー３の回転操作に応じて上下移動される座金４と、これらを上下に貫通する連結軸５で連結して構成している。以下、各部材について詳説する。
【００８７】
取付杆１は、軒先等に固定される取付足板１１の上端中央から前方に向けて足杆１２を延設し、この足杆１２の前方には、段落ち形成した連結片部１３を形成している。
【００８８】
この連結片部１３には、連結軸５を貫通する軸孔１４を開設している。
【００８９】
樋支持具本体２は、長板状のスライド板本体２０の前後端に、図示のような雨樋（軒樋）Ｔの前後耳部ＴＭを掛止する樋耳掛止部２１を各々形成している。
【００９０】
また、スライド板本体２０の長手方向の中央には、連結軸５が貫通する長孔２２を開設している。
【００９１】
スライド板本体２０の幅方向の両端は、図１３にも示すように、上方に向けて傾斜させた傾斜面２６を形成し、この傾斜面２６の上端を更に外方に向けて縁部２７を延設している。
【００９２】
なお、本実施例の樋支持具本体２は、ステンレスなどの金属板を折り曲げて形成したものを示しているが、硬質の樹脂で一体成形したものでも構わない。
【００９３】
ロックレバー３は、下方に開放した断面コ状に形成し、基板３１の中心乃至略長手方向に変位された位置には、連結軸５を貫通する軸孔部３３を形成しており、この軸孔部３３を中心にして水平方向に回転可能にしている。
【００９４】
また、基板３１の幅方向の両側端には、ロックレバー３を回転操作するための一対の操作片部３２を形成している。
【００９５】
座金４は、これ自体が弾性変形可能なバネ板で形成され、圧接固定時の応力のバラツキ等を吸収するようにしてなる。
【００９６】
具体的には、図１２、図１３で示すように、座金４を構成するバネ板の基板部４１の両側端部に、上方に向けて一対の側壁部４２’を形成し、この側壁部４２’が弾性変形されるようにしてなる。
【００９７】
また、基板部４１の中央には、連結軸５を貫通する軸孔部４３を開設し、基板部４１下面の長手方向の前後には、下方に向けて膨出させた２つの膨出部４４ａを形成している。
【００９８】
これらの膨出部４４ａの間隔は、ロックレバー３の基板３１の幅方向長さよりも略長くなるように設定され、アンロック時には、２つの膨出部４４ａの間に、ロックレバー３の基板３１が落し込まれる構造にしている。
【００９９】
また、膨出部４４ａの頂上に小突起４４を形成し、この小突起４４を嵌合する凹所３４をロックレバー３の基板３１の前、後に形成して、小突起４４と凹所３４が嵌合されたときに、ロックレバー３がロック位置で保持される構造にしているので、振動や衝撃等でロックレバー３のロック状態が誤ってアンロック方向に回転することを防止できる。また、上記嵌合時には、ロック時のクリック音或いはクリック感を得ることができる。
【０１００】
なお、本実施例の座金４及びロックレバー３は、ステンレス等の金属板を折り曲げて形成したものを示しているが、硬質の樹脂で一体成形してものでも構わない。
【０１０１】
連結軸５は、取付杆１の軸孔１４、樋支持具本体２の長孔２２、座金４の軸孔部４３、ロックレバー３の軸孔部３３を貫通する軸部５１を備えており、ここでは、リベットを例示しているが、一対のボルト、ナットを用いることも可能である。
【０１０２】
なお、本実施例で示した取付杆１、樋支持具本体２、ロックレバー３及び座金４の形状は、実施例のものに限定されるものではなく、例えば、樋支持具本体２の下面に凹凸部（不図示）を形成したり、或いは、長孔２２の側壁に凹凸部（不図示）を形成し、この凹凸部（不図示）に係止される爪片（不図示）を座金４の基板部４１に立設しておけば、ロックをより確実に行うことができる。
【０１０３】
このように構成されたロック式の雨樋支持具Ａは、図１２で示すように連結軸５（リベット）の軸部５１を、取付杆１の軸孔１４、樋支持具本体２の長孔２２、座金４の軸孔部４３、ロックレバー３の軸孔部３３に順次貫通し、この連結軸５の下端をカシメ止めて枢着され、樋支持具本体２が、取付杆１に対して前、後にスライド可能としている。
【０１０４】
なお、連結軸５の下端と、ロックレバーとの間には、抜け止め用の板ワッシャ（不図示）を介在させても良い。
【０１０５】
上記のように構成した本発明のロック式の雨樋支持具Ａは、以下の要領で作用する。
【０１０６】
先ず、取付杆１を軒先等に固定した後、樋支持具本体２を前、後にスライドさせて出具合を調節し、所望の位置でロックレバー３をロック方向に回転操作してロック状態にする〔図１２、図１３（ａ）参照〕。
【０１０７】
具体的には、ロックレバー３をロック方向（図１２、図１３（ａ）で示す方向）に回転操作すれば、ロックレバー３の基板３１が、座金４の膨出部４４ａに乗り上げ、この膨出部４４ａの高さ分だけ座金４を押上げる。
【０１０８】
同時に、座金４の側壁部４２’は、樋支持具本体２の傾斜面２６に沿って、図１３（ａ）中の矢印で示すように、外方乃至下方に向けて弾性変形されると共に、樋支持具本体２も押上げられて、取付杆１に圧接する。
【０１０９】
この圧接のとき、座金４の側壁部４２’は、側方乃至下方に向けて弾性付勢された状態となるので、取付杆１と樋支持具本体２との圧接を維持して固定（圧接固定）してロック状態にできる〔図１２、図１３（ａ）参照〕。
【０１１０】
一方、ロック状態を解除するには、ロック状態からロックレバー３をアンロック方向（図１３（ｂ）で示す方向）に回転操作すれば、ロックレバー３の基板３１が、座金４の膨出部４４ａから脱落し、この膨出部４４ａの高さ分だけ座金４を落下させる。
【０１１１】
同時に、座金４の側壁部４２’は、樋支持具本体２の傾斜面２６に沿って、図１３（ｂ）で示すように、上記弾性付勢とは逆方向に向けて塑性変形されると共に、樋支持具本体２も落下されて、取付杆１と離脱する。
【０１１２】
この離脱のとき、座金４の側壁部４２’は、側方乃至下方に向けて弾性付勢されていない状態となるので、取付杆１と樋支持具本体２との圧接が解除されてアンロック状態となり、樋支持具本体２をスライド可能にできる〔図１２、図１３（ｂ）参照〕。
【０１１３】
このようなロック式の雨樋支持具Ａによれば、座金４自体をバネ板で形成することで、ロックレバー３のロック、アンロック操作時における応力を座金４自体で吸収することができ、従来のようなバネワッシャ（スプリングワッシャとも呼ばれる。）等の弾性部材を不要にできる。
【０１１４】
その結果、部品点数を減少でき、製造工程も簡易となり、製造コストも安価にできる。
【実施例３】
【０１１５】
図１４（ａ）〜（ｃ）は、座金の側壁部が弾性変形される他の実施例を示したロック状態の要部概略図である。
【０１１６】
ここで、図１２、図１３と共通する部位には、同一の番号を付し、その説明は省略する。
【０１１７】
図１４（ａ）で示す樋支持具本体２は、傾斜面２６の上端を円弧状に更に外方に向けて延設したものである。
【０１１８】
そのため、座金４の側壁部４２’は、樋支持具本体２の傾斜面２６に沿って、矢印で示すように、内方乃至下方に向けて弾性変形されると共に、樋支持具本体２も押上げられて、取付杆１に圧接し、ロック状態にできる。
【０１１９】
図１４（ｂ）で示す樋支持具本体２は、縦断面を矩形状に形成したものである。
また、座金４の側壁部４２’は、アンロック時において、側壁部４２’が傾斜された状態であって、この側壁部４２’の傾斜に沿って樋支持具本体２の下端両側縁が、側壁部４２’を更に押し広げて側方乃至下方に向けて弾性変形されると共に、樋支持具本体２も押上げられて、取付杆１に圧接し、ロック状態にできる。
【０１２０】
図１４（ｃ）で示す座金４は、側壁部４２’の上端縁を円弧状に形成したもので、この円弧状の部分が、樋支持具本体２の縁部２７に摺接されて、側壁部４２’が側方乃至下方に向けて弾性変形されると共に、樋支持具本体２も押上げられて、取付杆１に圧接し、ロック状態にできる。
【０１２１】
これら図１４（ａ）〜（ｃ）に示すような構造のものであっても、図１２、図１３と同様の効果を得ることができる。
【実施例４】
【０１２２】
図１５（ａ）、（ｂ）は、座金の他の実施例を示したロック式の雨樋支持具Ａのロック、アンロック状態を示す要部概略動作図である。
【０１２３】
ここで、図１２〜図１４と共通する部位には、同一の番号を付し、その説明は省略する。
【０１２４】
なお、図１５（ａ）は、ロック状態を示し、図１５（ｂ）は、アンロック状態を示している。
【０１２５】
この座金４は、バネ板の両側端部に水平な側縁部４８が延設され、この側縁部４８が弾性変形可能にしたものである。
【０１２６】
また、樋支持具本体２には、側縁部４８に接合される接合部２８が下方に向けて形成され、具体的には、傾斜面２６の上端を円弧状に更に外方に向けて延設し、この円弧状の先端を接合部２８にしている。
【０１２７】
そのため、この座金４の側縁部４８は、図１５（ｂ）で示すアンロック状態から図１５（ａ）で示すロック状態に向けてロックレバー３を回転操作すれば、樋支持具本体２の接合部２８が矢印で示すように、側縁部４８を下方乃至内方に向けて弾性変形すると共に、樋支持具本体２も押上げられて、取付杆１に圧接し、ロック状態にできる。
【実施例５】
【０１２８】
図１６（ａ）、（ｂ）は、座金の更に他の実施例を示したロック式の雨樋支持具Ａのロック、アンロック状態を示す要部概略動作図である。
【０１２９】
ここで、図１２〜図１５と共通する部位には、同一の番号を付し、その説明は省略する。
【０１３０】
なお、図１６（ａ）は、ロック状態を示し、図１６（ｂ）は、アンロック状態を示している。
【０１３１】
この座金４は、バネ板の基板部４１の中央部が湾曲形成され、この基板部４１を弾性変形可能にしたものである。
【０１３２】
そのため、この座金４は、図１６（ｂ）で示すアンロック状態から図１６（ａ）で示すロック状態に向けてロックレバー３を回転操作すれば、湾曲状の中央部が矢印で示すように水平状に変形されることで、下方に向けて弾性変形されると共に、樋支持具本体２も押上げられて、取付杆１に圧接し、ロック状態にできる。
【産業上の利用可能性】
【０１３３】
本発明は、ロック式の雨樋支持具として有効に利用することが可能である。
【図面の簡単な説明】
【０１３４】
【図１】本発明に係るロック式の雨樋支持具の一実施例を示す分解斜視図
【図２】（ａ）、（ｂ）は、図１の動作を説明するための要部の概略断面図
【図３】本発明に係るロック式の雨樋支持の他の実施例を示す分解斜視図
【図４】座金の他の実施例を示す斜視図
【図５】本発明に係るロック式の雨樋支持具の更に他の実施例を示す分解斜視図
【図６】（ａ）、（ｂ）は、図５の要部の概略断面図
【図７】図５の変形例を示した分解斜視図
【図８】本発明に係るロック式の雨樋支持具の更に他の実施例を示す分解斜視図
【図９】縱回転式のロックレバーを取付杆の上方に設けたロック式の雨樋支持具を示す分解斜視図
【図１０】縱回転式のロックレバーを樋支持具本体の下方に設けたロック式の雨樋支持具を示す分解斜視図
【図１１】スライド式のロックレバーを樋支持具本体の下方に設けたロック式の雨樋支持具を示す分解斜視図
【図１２】本発明に係るロック式の雨樋支持具Ａの他の実施例を示す分解斜視図である。
【図１３】（ａ）、（ｂ）は、図１２で示したロック式の雨樋支持具Ａのロック、アンロック状態を示す要部概略動作図である。
【図１４】（ａ）〜（ｃ）は、座金の側壁部が弾性変形される他の実施例を示したロック状態の要部概略図である。
【図１５】（ａ）、（ｂ）は、座金の他の実施例を示したロック式の雨樋支持具Ａのロック、アンロック状態を示す要部概略動作図である。
【図１６】（ａ）、（ｂ）は、座金の更に他の実施例を示したロック式の雨樋支持具Ａのロック、アンロック状態を示す要部概略動作図である。
【符号の説明】
【０１３５】
Ａ      ロック式の雨樋支持具
Ｔ      雨樋
ＴＭ    耳部
Ｒ      ロック機構
１      取付杆
２      樋支持具本体
２１    樋耳掛止部
２２    長孔
２３    側面
２４    係合凹凸部
２５    凹凸部
３      ロックレバー
３４    凹所
４      座金
４１    基板部
４２    バネ片部
４２’  側壁部
４４    小突起
４５    突片部
４６    係合部
４７    突部又は凹所
４８    側縁部
５      連結軸
【図１】
0003723194.tif 000002
【図２】
0003723194.tif 000003
【図３】
0003723194.tif 000004
【図４】
0003723194.tif 000005
【図５】
0003723194.tif 000006
【図６】
0003723194.tif 000007
【図７】
0003723194.tif 000008
【図８】
0003723194.tif 000009
【図９】
0003723194.tif 000010
【図１０】
0003723194.tif 000011
【図１１】
0003723194.tif 000012
【図１２】
0003723194.tif 000013
【図１３】
0003723194.tif 000014
【図１４】
0003723194.tif 000015
【図１５】
0003723194.tif 000016
【図１６】
0003723194.tif 000017